(57)【要約】【課題】交差部分専用の目地切材として十字、Ｔ字、Ｌ字の各種の形状に変更できるとともに、折り畳み可能な目地切材装置を提供する。【解決手段】前後左右に接続部２３，２３・・を設けた接続部材２と、各接続部２３，２３・・に接続される複数の目地切材１，１・・とからなり、目地切材１，１・・を接続する接続部材２の接続部２３，２３・・を限定して、十字又はＴ字又はＬ字に選択的に一体に形成されるようにした。【選択図】  図１
2004204470.tif 000002
【特許請求の範囲】
【請求項１】
前後左右に接続部を設けた接続部材と、前記各接続部に接続される複数の目地切材とからなり、前記目地切材を接続する前記接続部材の接続部を選択して、十字，Ｔ字又はＬ字に構成するようにしたことを特徴とする目地切材装置。
【請求項２】
請求項１記載の目地切材において、接続部材は前後左右に上部垂直方向に折り曲げ可能に接続部が延設され、各接続部に各目地切材を接続して、前記接続部を折り曲げることにより上部垂直方向に折り畳み可能に形成されることを特徴とする目地切材装置。
【請求項３】
請求項１記載の目地切材において、前後左右に設けた接続部材の各接続部は、各目地切材と上部垂直方向に回動可能に接続されて上部垂直方向に折り畳み可能に形成されることを特徴とする目地切材装置。
【発明の詳細な説明】
【０００１】
【発明の属する技術分野】
本発明は縦目地と横目地とが交差する部分や、目地切材の端部が直角に当接する部分において、目地切材同士を接続するための目地切材装置に関するものである。
【０００２】
【従来の技術】
駐車場や建築物の屋上等のコンクリート床面を施工するには、幅２０〜４０ｍｍ、高さ４０〜５０ｍｍ、長さ２ｍほどの長尺な発泡体製の伸縮部材からなる目地本体と、該目地本体の上部に設けられた、断面コ字状に形成されたプラスチック製のキャップ部とから構成された成形伸縮目地切材が用いられている。そして、縦目地と横目地が交差する部分や、目地切材の端部が直角に当接する部分には、キャップ部が複数の直線状の部材が直角に当接した形状に予め一体に形成された成形伸縮目地切材が使用されている。（例えば特許文献１参照）
【０００３】
【特許文献１】
特開平１０−１１５０１９号公報
【０００４】
上記特許文献１（特開平１０−１１５０１９号公報）に記載されている成形伸縮目地切材について図９乃至図１１を参照して説明する。図９に示すように成形伸縮目地切材（以下、単に目地切材という）１０１は、伸縮可能な目地本体１０２と、該目地本体１０２の上部に設けられたキャップ部１０３とから構成される成形伸縮目地切材であって、上記キャップ部１０３が直線状の形状の部材が予め接続されて一体に形成されているものである。図９は目地切材の第１態様であり、上記の直線状の目地切材が接続された形状として、直線状の目字材が十字状に直交した形状に形成されたものである。
【０００５】
目地切材は、キャップ部の形状が、直線状の目地切材を当接させて接続した形状に予め一体に形成されていて、直線状の目地切材を接続した形状は、図９に示す十字状に限定されず、図１０に示すＴ字状や、図１１に示すＬ字状に形成してもよい。上記の目地切材のキャップ部１０３において、複数の直線状の部材が交差又は当接して形成される部分は、直交又は直角になるように形成されている。
【０００６】
【発明が解決しようとする課題】
上記した従来の目地切材は、縦目地と横目地が交差する部分や、目地切材の端部が直角に当接する部分には、複数の直線状の部材が直角に当接した形状に、予めキャップ部を一体に形成しておくため、嵩張って持ち運びしにくく、また、十字、Ｔ字、Ｌ字の各種の形状のものを用意しなければならず、管理が煩雑になるという問題があった。
【０００７】
本発明は交差部分専用の目地切材として十字、Ｔ字、Ｌ字の各種の形状に変更できるとともに、折り畳み可能な目地切材装置を提供することを目的とする。
【０００８】
【課題を解決するための手段】
前記目的を達成するため、請求項１に記載した発明は、前後左右に接続部を設けた接続部材と、前記各接続部に接続される複数の目地切材とからなり、前記目地切材を接続する前記接続部材の接続部を選択して、十字，Ｔ字又はＬ字に構成するようにしたことを特徴とする目地切材装置である。
【０００９】
また、請求項２に記載した発明は請求項１記載の目地切材装置において、接続部材は前後左右に上部垂直方向に折り曲げ可能に接続部が延設され、各接続部に各目地切材を接続して、前記接続部を折り曲げることにより上部垂直方向に折り畳み可能に形成されることを特徴とする目地切材装置である。
【００１０】
また、請求項３に記載した発明は請求項１記載の目地切材装置において、前後左右に設けた接続部材の各接続部は、各目地切材と上部垂直方向に回動可能に接続されて上部垂直方向に折り畳み可能に形成されることを特徴とする目地切材装置である。
【００１１】
【発明の実施の形態】
以下本発明の実施の態様を図面を参照して説明する。図１は本発明に係る目地切材装置の第１の実施例の分解斜視図、図２は図１の目地切材装置の組立て状態の斜視図、図３は図１の目地切材装置の組立て状態の平面図、図４は図３のＡ−Ａ線での断面図、図５は図１の目地切材装置の折り畳み状態での斜視図、図６は図１の目地切材の施工例の平面図、図７は本発明に係る目地切材装置の第２の実施例示す分解斜視図、図８は図６の目地切材装置の組立て状態での一部を切欠いた平面図である。
【００１２】
図１乃至図５に示す本発明の第１の実施例について以下に説明する。目地切材１は縦長で長尺な発泡体製の伸縮部材からなる角棒状の目地切材本体１１の上端に断面コ字状をした保護用のプラスチック製のキャップ材１２を被着してなる構成であり、各キャップ材１２は、両端部分１３，１４が本体部分１５に比べて低い段差を有している。即ち、一端部１３は上面が所定の厚み分だけ低い段差平面が形成され、各段差平面には接続手段（孔）１３ａが形成されている。また、各キャップ材１２の他端部１４はキャップ材１２の厚み分だけ周面を低く凹ませて形成した筒片が突出して形成されており、他端部１４には、キャップ材１２のような段差が無く、周面をキャップ材１２の本体部分１５と同様に形成したキャップ材１６を嵌合してキャップ材１２に接続できるようになっている。キャップ材１６も角棒状の目地切材本体１７の上端に被着して目地切材１８を構成する。
【００１３】
接続部材２は矩形基板２１の各辺２２，２２・・からキャップ材１２の本体部分と一端部１３の段差平面との差の厚みの矩形片からなる接続部２３，２３・・を前後左右に延設した形状であり、各接続部２３，２３・・は各辺２２，２２・・より幅が狭く、各辺２２，２２・・に沿って肉薄の折り曲げ線２４，２４・・が形成されており、上部垂直方向に折り曲げ可能であり、各接続部２３，２３・・には、接続手段（突起）２５，２５・・が設けられている。
【００１４】
接続部材２と各キャップ材１２，１２・・は、矩形基板２１の前後左右に延設した接続部２３，２３・・の接続手段（突起）２５，２５・・を各キャップ材１２，１２・・の接続手段（孔）１３ａに接続（嵌合）して接続して、目地切材装置３０を形成する。この場合、接続手段１３ａの形成されていないキャップ材１２を使用する場合には、キャップ材１２の段差平面１３を必要に応じて加工して後から接続手段（孔）１３ａを形成すればよい。そして、接続部材２の矩形基板２１の前後左右に延設した４つの接続部２３，２３・・の全てにキャップ材１２，１２・・を接続した場合には、十字に一体に形成される。また、接続部材２の３つの接続部２３，２３・だけにキャップ材１２，１２・を接続した場合にはＴ字に一体に形成される。また、接続部材２の隣り合う２つの接続部２３，２３だけにキャップ材１２，１２を接続した場合にはＬ字に一体に形成される。上記のように接続に使用しなかった接続部２３は、カッターなどの切断冶具で切除する。このようにして組立てた目地切材装置３０は、図５のように折り畳み、この折り畳み状態で持ち運ぶことができる。
【００１５】
次に、組立てられた目地切材装置３０を使用して、駐車場や建築物のコンクリート施工面を形成する場合について説明する。コンクリートを打設して養生硬化させることにより構成した駐車場や建築物の屋上等の平坦な躯体の表面に断熱層を設ける。そして、断熱層の表面に目地切材装置３０を、図６に示すように縦目地と横目地とが交差する位置に配置する。隣接する目地切材装置３０，３０において、同一直線状の縦目地、及び横目地を構成するように近接配置されるキャップ材１２，１２の各他端部１４，１４に、本体部分だけで形成した（キャップ材１２のような段差が無い）キャップ材１６を嵌合して各キャップ材１２，１２間を接続して同一直線状に縦目地、及び横目地を連続させる。キャップ材１６は角棒状の目地切材本体１７の上端に被着して目地切材１８を構成する。そして、目地切材装置３０の目地切材１と目地切材１８で囲まれる断熱層の表面に、保護コンクリート層を打設して養生硬化させることにより、コンクリート施工面８を施工することができる。
【００１６】
次に、第２の実施例について以下に説明する。目地切材４０は縦長で長尺な発泡体製の伸縮部材からなる角棒状の目地切材本体４１の上端に断面コ字状をした保護用のプラスチック製のキャップ材４２を被着してなる構成であり、キャップ材４２の一端は上部に切欠き４３を設けてあり、切欠き４３における突出した左右の側片４４，４４には孔４５，４５が設けられて接続手段を形成している。接続部材５０はキャップ材４２の切欠き４３内に挿入して左右の側片４４，４４間に配置可能な断面コ字状の突出片５１，５１・・を前後左右に有する十字形状であり、各突出片５１には孔５２，５２が設けられた接続手段となっている。
【００１７】
そして、接続部材５０の突出片５１，５１・・の全てにキャップ材４２，４２・・を接続して、突出片５１の孔５２，５２と側片４４，４４の孔４５，４５とを重ね合せてピンＰを挿通して接続部材５０の突出片５１，５１・・の全てにキャップ材４２，４２・・を回動可能に軸止した場合には、接続部材５０にキャップ材４２，４２・・が十字に一体に形成される。同様にして、接続部材５０の３つの突出片５１，５１・だけにキャップ材４２，４２・を接続した場合にはＴ字に一体に形成される。また、接続部材５０の隣り合う２つの突出片５１，５１だけにキャップ材４２，４２を接続した場合にはＬ字に一体に形成される。そして、この場合も接続に使用しなかった突出片５１は、カッターなどの切断冶具で切除する。このようにして目地切材装置６０が組立てられる。
【００１８】
【発明の効果】
以上要するに、本発明の目地切材装置によれば、縦目地と横目地とが交差する位置に配置する交差部分接続用の目地切材として十字、Ｔ字、Ｌ字の各種の形状に変更して使用できる。また、折り畳み可能であるから嵩張らずに持ち運びし易く、また、十字、Ｔ字、Ｌ字の各種の形状に変更して使用できるから、管理が簡易化される等実用的価値の高いものである。
【図面の簡単な説明】
【図１】本発明の第１の実施例の分解斜視図である。
【図２】図１の目地切材装置の組立て状態の斜視図である。
【図３】図１の目地切材装置の組立て状態の平面図である。
【図４】図３のＡ−Ａ線での断面図である。
【図５】図１の目地切材装置の折り畳み状態での斜視図である。
【図６】図１の目地切材の施工例の平面図である。
【図７】本発明の第２の実施例の分解斜視図である。
【図８】図６の目地切材装置の組立て状態での一部を切欠いた平面図である。
【図９】従来例を示す成形伸縮目地材の第１の態様を示す外観斜視図である。
【図１０】従来例を示す成形伸縮目地材の第２の態様を示す外観斜視図である。
【図１１】従来例を示す成形伸縮目地材の第３の態様を示す外観斜視図である。
【符号の説明】
１，１８，４１  目地切材
２，５０  接続部材
８  コンクリート施工面
１１，１７  目地切材本体
１２，１６，４２  キャップ材
１３，１４  端部
１３ａ  接続手段（孔）
１５  本体部分
２１  矩形基板
２２  矩形基板２１の辺
２３  接続部
２４  肉薄の折り曲げ線
２５  接続手段（突起）
３０，６０  目地切材装置
４３  切欠き
４４  側片
４５，５２  孔
５１  突出片
【図１】
2004204470.tif 000003
【図２】
2004204470.tif 000004
【図３】
2004204470.tif 000005
【図４】
2004204470.tif 000006
【図５】
2004204470.tif 000007
【図６】
2004204470.tif 000008
【図７】
2004204470.tif 000009
【図８】
2004204470.tif 000010
【図９】
2004204470.tif 000011
【図１０】
2004204470.tif 000012
【図１１】
2004204470.tif 000013